(57)【要約】      （修正有）【課題】子供達や高齢者にとって簡単に創作可能な組立式情景展示物を提供する。【解決手段】組立式情景展示物１３は、左右一対の側面板２ａ、２ｂと、左右一対の側面板の上端間に架設連結された天面板２ｃと、左右一対の側面板の下端間に架設連結された底面板２ｄと、を含む矩形状の額縁２と、底面板上に載置された、発泡スチロールを主体とする土台４と、土台に固定された情景再現物と、額縁の背面側に配置固定された背景写真シート９ａと、を備えている。左右一対の側面板の各上下端部には、それぞれ、貫通孔が穿設され、天面板及び底面板の各左右端面には、それぞれ、貫通孔と対応する位置に有底孔が穿設されている。そして、対応する貫通孔と有底孔とに亘って竹串を圧入することにより、額縁が矩形状に組み立てられている。【選択図】図３
0003232643.tif 000002
【実用新案登録請求の範囲】
【請求項１】
左右一対の側面板と、前記左右一対の側面板の上端間に架設連結された天面板と、前記左右一対の側面板の下端間に架設連結された底面板と、を含む矩形状の額縁と、
前記底面板上に載置された、発泡スチロールを主体とする土台と、
前記土台に固定された情景再現物と、
前記額縁の背面側に配置固定された背景写真シートと、を備え、
前記左右一対の側面板の各上下端部、又は、前記天面板及び前記底面板の各左右端部には、それぞれ、貫通孔が穿設され、
前記天面板及び前記底面板の各左右端面、又は、前記左右一対の側面板の各上下端面には、それぞれ、前記貫通孔と対応する位置に有底孔が穿設され、
対応する前記貫通孔と前記有底孔とに亘って軸棒を圧入することにより、前記額縁が矩形状に組み立てられていることを特徴とする組立式情景展示物。
【請求項２】
前記底面板の上面の前後縁部に左右横長に固定され、前記土台の前後方向への移動を規制する規制板をさらに備えた、請求項１に記載の組立式情景展示物。
【請求項３】
請求項１に記載の左右一対の側面板、天面板、底面板、軸棒、土台を形成するための直方体状の発泡スチロール体、情景再現物、及び、背景写真シートを含む情景展示物用組立キット。
【請求項４】
請求項２に記載の規制板をさらに含む、請求項３に記載の情景展示物用組立キット。
【考案の詳細な説明】
【技術分野】
【０００１】
本考案は、組立式情景展示物、及び、その組立キットに関する。さらに詳細には、本考案は、子供達や高齢者にとって簡単に創作可能な組立式情景展示物、及び、その情景展示物を組み立てるための情景展示物用組立キットに関する。
【背景技術】
【０００２】
従来より、自然の風景を模型等により立体的に再現した情景展示物（所謂、ジオラマ）が知られている（例えば、特許文献１等を参照）。
特許文献１に開示された情景展示物は、内部を前方から鑑賞可能なケースと、前記ケースの内部に配置された展示物（模型）と、を備える情景展示物であって、
前記ケースは、外形を形成し、前方及び後方が開放された枠体と、前記枠体の前方側側縁近傍に取り付けられ、透明の素材で形成された前面部と、前記枠体の後方側側縁近傍に着脱可能に取り付けられた板状体で形成された後面部と、を有し、
前記後面部は、前面に印刷物（模型）を着脱可能に固定し、
前記展示物（模型）は、前記枠体の内部に交換可能に載置された土台と、前記土台に固定された情景再現物と、を有することを特徴とするものである。
そして、この情景展示物の構成によれば、ケースが、外形を形成し、前方及び後方が開放された枠体と、枠体の前方側側縁近傍に取り付けられ、透明の素材で形成された前面部と、枠体の後方側側縁近傍に着脱可能に取り付けられた板状体で形成された後面部と、を有しているため、ケース内部の展示物及び印刷物（模型）を容易に入れ替えることが可能となる。
【０００３】
一方、このような情景展示物は、故郷の自然環境を展示することができるため、環境問題やＳＤＧｓ（Sustainable Development Goals（持続可能な開発目標））を学ぶ学生や子供達にとっては、このような情景展示物を創作することが教育的に望ましい。
さらに、高齢者にとっては、このような情景展示物を創作すると、自身が幼少期に育った故郷の自然環境を情景展示物とすることで、認知症の予防になる可能性が示唆されている。
【０００４】
以上のことから、子供達や高齢者にとって簡単に創作可能な組立式情景展示物、及び、その組立キットの出現が望まれていた。
【先行技術文献】
【特許文献】
【０００５】
【特許文献１】実用新案登録第３１８３６４０号公報
【考案の概要】
【考案が解決しようとする課題】
【０００６】
本考案は、前記事情に鑑みてなされたものであり、子供達や高齢者にとって簡単に創作可能な組立式情景展示物、及び、その組立キットを提供することを目的とする。
【課題を解決するための手段】
【０００７】
前記目的を達成するため、本考案に係る組立式情景展示物の構成は、
（１）左右一対の側面板と、前記左右一対の側面板の上端間に架設連結された天面板と、前記左右一対の側面板の下端間に架設連結された底面板と、を含む矩形状の額縁と、
前記底面板上に載置された、発泡スチロールを主体とする土台と、
前記土台に固定された情景再現物と、
前記額縁の背面側に配置固定された背景写真シートと、を備え、
前記左右一対の側面板の各上下端部、又は、前記天面板及び前記底面板の各左右端部には、それぞれ、貫通孔が穿設され、
前記天面板及び前記底面板の各左右端面、又は、前記左右一対の側面板の各上下端面には、それぞれ、前記貫通孔と対応する位置に有底孔が穿設され、
対応する前記貫通孔と前記有底孔とに亘って軸棒を圧入することにより、前記額縁が矩形状に組み立てられていることを特徴とする。
【０００８】
本考案における「額縁」は、例えば、くすの木や杉の木で製作される。
本考案における「土台」は、故郷の山林の岩場等をモデルとして、当該組立式情景展示物の所有者自身が創作し得るものである。
本考案における「情景再現物」としては、当該組立式情景展示物の所有者の故郷の山林から採取した自然の樹木、苔、石等を用いることができる。樹木は、プリザーブド加工して用いることが望ましい。なお、「情景再現物」としては、樹木、苔、石等の模型を用いることもできる。
本考案における「背景写真シート」の写真としては、例えば、当該組立式情景展示物の所有者の故郷の大自然に囲まれた森や渓谷の写真等を用いることができる。
本考案における「軸棒」としては、例えば、竹串等を用いることができる。
【０００９】
本考案の組立式情景展示物の上記（１）の構成は、次のような作用効果を奏する。
すなわち、まず、対応する貫通孔と有底孔とに亘って額縁の外側から軸棒を圧入することにより、子供や高齢者であっても、左右一対の側面板と天面板と底面板を、矩形状の額縁として簡単に組み立てることができる。また、故郷の山林の岩場等の土台は、例えば、直方体状の発泡スチロール体を、カッター等で岩場等の形に切削加工した後、絵の具等で岩等の色に着色し、木工用ボンド等で川の流れを作ることにより、子供や高齢者であっても簡単に創作することができる。そして、樹木、苔、石等の情景再現物を、土台の上面及び前面に配置し、接着し又は差し込んだ後、土台を額縁の底面板上に載置し、かつ、背景写真シートを、額縁の背面側に配置固定することにより、組立式情景展示物を完成させることができる。なお、情景再現物としての樹木や石は、発泡スチロール体を岩等の色に着色する前に、当該発泡スチロール体に差し込むようにしてもよい。
したがって、上記（１）の構成によれば、子供達や高齢者にとって簡単に創作可能な組立式情景展示物を提供することができる。
【００１０】
また、上記のように、額縁を、くすの木や杉の木で製作すれば、木から発する香りでリラックス効果を体感することもできる。
また、上記のように、情景再現物として自然の樹木、苔、石等を用い、大自然に囲まれた森や渓谷の写真等と一体化させれば、観る人に、森の中へ吸い込まれるような感じを味わわせることもできる。
【００１１】
本考案の組立式情景展示物の上記（１）の構成においては、以下の（２）のような構成にすることが好ましい。
【００１２】
（２）上記（１）の構成において、前記底面板の上面の前後縁部に左右横長に固定され、前記土台の前後方向への移動を規制する規制板をさらに備える。
上記（２）の好ましい構成によれば、土台の前後方向への移動を規制して、組立後の情景展示物の安定化を図ることが可能となる。
【００１３】
本考案に係る情景展示物用組立キットの構成は、
（３）上記（１）の構成に記載の左右一対の側面板、天面板、底面板、軸棒、土台を形成するための直方体状の発泡スチロール体、情景再現物、及び、背景写真シートを含むことを特徴とする。
【００１４】
本考案の情景展示物用組立キットの上記（３）の構成は、本考案の組立式情景展示物の上記（１）の構成と同様の作用効果を奏する。
すなわち、まず、対応する貫通孔と有底孔とに亘って額縁の外側から軸棒を圧入することにより、子供や高齢者であっても、左右一対の側面板と天面板と底面板を、矩形状の額縁として簡単に組み立てることができる。また、直方体状の発泡スチロール体を、カッター等で岩場等の形に切削加工した後、絵の具等で岩等の色に着色し、木工用ボンド等で川の流れを作ること等により、子供や高齢者であっても、故郷の山林の岩場等の土台を簡単に創作することができる。そして、樹木、苔、石等の情景再現物を、土台の上面及び前面に配置し、接着し又は差し込んだ後、土台を額縁の底面板上に載置し、かつ、背景写真シートを、額縁の背面側に配置固定することにより、組立式情景展示物を完成させることができる。なお、情景再現物としての樹木や石は、発泡スチロール体を岩等の色に着色する前に、当該発泡スチロール体に差し込むようにしてもよい。
したがって、上記（３）の構成によれば、子供達や高齢者にとって簡単に創作可能な組立式情景展示物の組立キット（情景展示物用組立キット）を提供することができる。
【００１５】
本考案の情景展示物用組立キットの上記（３）の構成においては、以下の（４）のような構成にすることが好ましい。
【００１６】
（４）上記（３）の構成において、上記（２）の構成に記載の規制板をさらに含む。
上記（４）の好ましい構成によれば、土台の前後方向への移動を規制して、組立後の情景展示物の安定化を図ることを可能にする情景展示物用組立キットを提供することができる。
【考案の効果】
【００１７】
本考案によれば、子供達や高齢者にとって簡単に創作可能な組立式情景展示物、及び、その組立キットを提供することができる。
【図面の簡単な説明】
【００１８】
【図１】図１は、本考案の一実施形態における情景展示物用組立キットの構成部材の一部（背景写真シートを除いたもの）を示す図である。
【図２】図２は、本考案の一実施形態における情景展示物用組立キットの構成部材の残りの一部（背景写真シート）を示す図である。
【図３】図３は、本考案の一実施形態における組立式情景展示物の構成を示す正面図である。
【図４】図４は、本考案の一実施形態における組立式情景展示物の組立方法のうち、額縁の連結工程を示す斜視図（上方が背面側）である。
【図５】図５は、本考案の一実施形態における組立式情景展示物の組立方法のうち、額縁の連結工程及び額縁の設置工程を示す正面図である。
【図６】図６は、本考案の一実施形態における組立式情景展示物の組立方法のうち、規制板及び受板の固定工程を示す斜視図（前面が背面側）である。
【図７】図７は、本考案の一実施形態における組立式情景展示物の組立方法のうち、発泡スチロール体の切削加工工程を示す斜視図である。
【図８】図８は、本考案の一実施形態における組立式情景展示物の組立方法のうち、岩場等の形に切削加工された発泡スチロール体への樹木、石（情景再現物）の差込工程を示す斜視図である。
【図９】図９は、本考案の一実施形態における組立式情景展示物の組立方法のうち、岩場等の形に切削加工された発泡スチロール体への着色工程を示す斜視図である。
【図１０】図１０は、本考案の一実施形態における組立式情景展示物の組立方法のうち、土台（岩場）への苔（情景再現物）の付着工程を示す斜視図である。
【図１１】図１１は、本考案の一実施形態における組立式情景展示物の組立方法のうち、土台（岩場）に木工用ボンドで川の流れを作る工程を示す斜視図である。
【図１２】図１２は、本考案の一実施形態における組立式情景展示物の組立方法のうち、土台（岩場）の載置工程と背景写真シートの配置固定工程を示す正面図である。
【考案を実施するための形態】
【００１９】
以下、好適な実施形態を用いて本考案をさらに具体的に説明する。但し、下記の実施形態は本考案を具現化した例に過ぎず、本考案はこれに限定されるものではない。
【００２０】
［情景展示物用組立キットの構成］
まず、本考案の一実施形態における、情景展示物を組み立てるための情景展示物用組立キットの構成について、図１，図２を参照しながら説明する。
【００２１】
図１は、本考案の一実施形態における情景展示物用組立キットの構成部材の一部（背景写真シートを除いたもの）を示す図、図２は、当該情景展示物用組立キットの構成部材の残りの一部（背景写真シート）を示す図である。
【００２２】
図１，図２に示すように、本実施形態の情景展示物用組立キット１は、フレーム（額縁）２（図３を参照）を構成する８つのフレーム（額縁）構成部材２ａ〜２ｈと、フレーム構成部材２ａ〜２ｄを矩形状に連結するための８本の竹串（軸棒）３と、岩場等の土台４（図３を参照）を形成するための直方体状の発泡スチロール体５と、情景再現物（２本の樹木６ａ，６ｂ、一袋の苔７、３個の石８ａ〜８ｃ）と、２枚の背景写真シート９ａ，９ｂと、１本の接着剤チューブ１０と、を含んでいる。
【００２３】
フレーム構成部材２ａ〜２ｈは、それぞれ、平板長方形状に形成されており、例えば、宮崎県産のくすの木や杉の木で製作される。このため、組立式情景展示物１３（図３を参照）として組み立てた場合に、木から発する香りでリラックス効果を体感することができる。
フレーム構成部材２ａ，２ｂは、それぞれ、額縁２を構成する左右一対の側面板（図３を参照）として機能するものであり（以下、左右一対の側面板についても、同じ参照符号２ａ，２ｂを付して説明する）、フレーム構成部材２ｃ，２ｄは、それぞれ、額縁２を構成する天面板、底面板（図３を参照）として機能するものである（以下、天面板、底面板についても、同じ参照符号２ｃ，２ｄを付して説明する）。フレーム構成部材２ａ，２ｂの後縁側には、それぞれ、上下に延びるスリット状の凹溝１４ａ，１４ｂが内側を向いた状態で形成されている。このスリット状の凹溝１４ａ，１４ｂは、背景写真シート９ａ（又は９ｂ）の左右縁部を挿入して、当該背景写真シート９ａ（又は９ｂ）を額縁２の背面側に配置固定するためのものである。
フレーム構成部材２ｅは、額縁２が設置される設置板（図３を参照）として機能するものである（以下、設置板についても、同じ参照符号２ｅを付して説明する）。なお、この設置板２ｅも、額縁２の一部を構成する。また、フレーム構成部材２ｆ，２ｇは、底面板２ｄの上面の前後縁部に左右横長に固定され（図３，図６を参照）、岩場等の土台４の前後方向への移動を規制する規制板として機能するものである（以下、規制板についても、同じ参照符号２ｆ，２ｇを付して説明する）。フレーム構成部材（規制板）２ｇは、スリット状の凹溝１４ａ，１４ｂを避けるべく、若干内側に固定されている。フレーム構成部材２ｈは、底面板２ｄの上面の後縁部に左右横長に固定され（図６を参照）、背景写真シート９ａ（又は９ｂ）の下端を受ける受板として機能するものである（以下、受板についても、同じ参照符号２ｈを付して説明する）。
【００２４】
フレーム構成部材（左右一対の側面板）２ａ，２ｂの各上下端部には、それぞれ、前後一対の貫通孔１１が穿設されている。また、フレーム構成部材（天面板、底面板）２ｃ，２ｄの各左右端面には、それぞれ、貫通孔１１と対応する位置に前後一対の有底孔１２が穿設されている。ここで、貫通孔１１及び有底孔１２は、竹串３が軽く圧入される程度の径を有している。
かかる構成によれば、対応する貫通孔１１と有底孔１２とに亘って額縁２の外側から竹串３を圧入することにより、子供や高齢者であっても、左右一対の側面板２ａ，２ｂと天面板２ｃと底面板２ｄを、矩形状の額縁２として簡単に組み立てることができる。
【００２５】
発泡スチロール体５は、安価で工作が容易な材料である。このため、直方体状の発泡スチロール体５を、カッター等で岩場等の形に切削加工した後、絵の具等で岩等の色に着色し、木工用ボンド等で川の流れを作ること等により、子供や高齢者であっても、故郷の山林の岩場等の土台４を簡単に創作することができる。
【００２６】
背景写真シート９ａ，９ｂの写真としては、例えば、組立式情景展示物１３の所有者の故郷の大自然に囲まれた森や渓谷の写真等が用いられている。
【００２７】
情景再現物（２本の樹木６ａ，６ｂ、一袋の苔７、３個の石８ａ〜８ｃ）としては、組立式情景展示物１３の所有者の故郷の山林から採取した自然の樹木、苔、石等が用いられている。このため、組立式情景展示物１３として組み立てた場合に、これらを、大自然に囲まれた森や渓谷の写真等（背景写真シート９ａ，９ｂの写真）と一体化させて、観る人に、森の中へ吸い込まれるような感じを味わわせることができる。
樹木６ａ，６ｂは、プリザーブド加工して用いることが望ましい。なお、情景再現物としては、樹木、苔、石等の模型を用いることもできる。
【００２８】
そして、樹木６ａ，６ｂ、苔７、石８ａ〜８ｃ等の情景再現物を、土台４の上面及び前面に配置し、接着し又は差し込んだ後、土台４を額縁２の底面板２ｄ上に載置し、かつ、背景写真シート９ａ（又は９ｂ）を、額縁２の背面側に配置固定することにより、組立式情景展示物１３を完成させることができる。なお、情景再現物としての樹木６ａ，６ｂや石８ａ〜８ｃは、発泡スチロール体５を岩等の色に着色する前に、当該発泡スチロール体５に差し込むようにしてもよい。
【００２９】
したがって、本実施形態の情景展示物用組立キット１の構成によれば、子供達や高齢者にとって簡単に創作可能な組立式情景展示物の組立キット（情景展示物用組立キット）を提供することができる。
【００３０】
［組立式情景展示物の構成］
次に、本実施形態における組立式情景展示物の構成について、図３をも参照しながら説明する。
【００３１】
図３は、本考案の一実施形態における組立式情景展示物の構成を示す正面図である。
【００３２】
図３に示すように、本実施形態の組立式情景展示物１３は、互いに対向して配置される左右一対の側面板２ａ，２ｂと、左右一対の側面板２ａ，２ｂの上端間に架設連結された天面板２ｃと、左右一対の側面板２ａ，２ｂの下端間に架設連結された底面板２ｄと、を含む額縁２と、底面板２ｄ上に載置された、発泡スチロールを主体とする土台４と、土台４に固定された情景再現物（２本の樹木６ａ，６ｂ、苔７、３個の石８ａ〜８ｃ）と、額縁２の背面側に配置固定された背景写真シート９ａと、を備えている。
【００３３】
左右一対の側面板２ａ，２ｂの各上下端部には、それぞれ、前後一対の貫通孔１１が穿設されている。また、天面板２ｃ及び底面板２ｄの各左右端面には、それぞれ、貫通孔１１と対応する位置に前後一対の有底孔１２が穿設されている（以上、図１を参照）。ここで、貫通孔１１及び有底孔１２は、竹串（軸棒）３が軽く圧入される程度の径を有している。そして、対応する貫通孔１１と有底孔１２とに亘って竹串３を圧入することにより、額縁２が矩形状に組み立てられている。
左右一対の側面板２ａ，２ｂの後縁側には、それぞれ、上下に延びるスリット状の凹溝１４ａ，１４ｂが内側を向いた状態で形成されている（図１を参照）。そして、背景写真シート９ａは、その左右縁部がスリット状の凹溝１４ａ，１４ｂに挿入されて、額縁２の背面側に配置固定されている。
【００３４】
額縁２は、宮崎県産のくすの木や杉の木で製作されている。
土台４は、故郷の山林の岩場等をモデルとして、当該組立式情景展示物１３の所有者自身が創作し得るものである。
情景再現物としては、当該組立式情景展示物１３の所有者の故郷の山林から採取した自然の樹木６ａ，６ｂ、苔７、石８ａ〜８ｃ等が用いられている。樹木６ａ，６ｂは、プリザーブド加工して用いることが望ましい。なお、情景再現物としては、樹木、苔、石等の模型を用いることもできる。
背景写真シート９ａの写真としては、当該組立式情景展示物１３の所有者の故郷の大自然に囲まれた森や渓谷の写真等が用いられている。
【００３５】
本実施形態の組立式情景展示物１３の構成は、次のような作用効果を奏する。
すなわち、まず、対応する貫通孔１１と有底孔１２とに亘って額縁２の外側から竹串３を圧入することにより、子供や高齢者であっても、左右一対の側面板２ａ，２ｂと天面板２ｃと底面板２ｄを、矩形状の額縁２として簡単に組み立てることができる。また、故郷の山林の岩場等の土台４は、例えば、直方体状の発泡スチロール体５（図１を参照）を、カッター等で岩場等の形に切削加工した後、絵の具等で岩等の色に着色し、木工用ボンド等で川の流れを作ることにより、子供や高齢者であっても簡単に創作することができる。そして、樹木６ａ，６ｂ、苔７、石８ａ〜８ｃ等の情景再現物を、土台４の上面及び前面に配置し、接着し又は差し込んだ後、土台４を額縁２の底面板２ｄ上に載置し、かつ、背景写真シート９ａを、額縁２の背面側に配置固定することにより、組立式情景展示物１３を完成させることができる。
なお、情景再現物としての樹木６ａ，６ｂや石８ａ〜８ｃは、発泡スチロール体５を岩等の色に着色する前に、当該発泡スチロール体５に差し込むようにしてもよい。
したがって、本実施形態の組立式情景展示物１３の構成によれば、子供達や高齢者にとって簡単に創作可能な組立式情景展示物を提供することができる。
【００３６】
また、上記のように、額縁２を、くすの木や杉の木で製作すれば、木から発する香りでリラックス効果を体感することもできる。
また、上記のように、情景再現物として自然の樹木６ａ，６ｂ、苔７、石８ａ〜８ｃ等を用い、大自然に囲まれた森や渓谷の写真等（背景写真シート９ａの写真）と一体化させれば、観る人に、森の中へ吸い込まれるような感じを味わわせることもできる。
【００３７】
組立式情景展示物１３は、土台４の前後方向への移動を規制する規制板２ｆ，２ｇをさらに備えている。規制板２ｆ，２ｇは、底面板２ｄの上面の前後縁部に接着剤で左右横長に固定されて、額縁２の一部を構成している。規制板２ｇは、スリット状の凹溝１４ａ，１４ｂを避けるべく、若干内側に固定されている。かかる構成によれば、土台４の前後方向への移動を規制して、組立後の情景展示物１３の安定化を図ることが可能となる。
【００３８】
また、組立式情景展示物１３は、背景写真シート９ａの下端を受ける受板２ｈをさらに備えている（図１，図６を参照）。受板２ｈは、底面板２ｄの上面の後縁部に左右横長に固定されて、額縁２の一部を構成している。
【００３９】
また、組立式情景展示物１３は、額縁２が設置される設置板２ｅをさらに備えている。この設置板２ｅも、額縁２の一部を構成するものである。
【００４０】
［組立式情景展示物の組立方法］
次に、本実施形態における、情景展示物用組立キットを用いた、組立式情景展示物の組立方法について、図４〜図１２をも参照しながら説明する。
【００４１】
図４は、本考案の一実施形態における組立式情景展示物の組立方法のうち、額縁の連結工程を示す斜視図（上方が背面側）、図５は、当該組立式情景展示物の組立方法のうち、額縁の連結工程及び額縁の設置工程を示す正面図、図６は、当該組立式情景展示物の組立方法のうち、規制板及び受板の固定工程を示す斜視図（前面が背面側）、図７は、当該組立式情景展示物の組立方法のうち、発泡スチロール体の切削加工工程を示す斜視図、図８は、当該組立式情景展示物の組立方法のうち、岩場等の形に切削加工された発泡スチロール体への樹木、石（情景再現物）の差込工程を示す斜視図、図９は、当該組立式情景展示物の組立方法のうち、岩場等の形に切削加工された発泡スチロール体への着色工程を示す斜視図、図１０は、当該組立式情景展示物の組立方法のうち、台（岩場）への苔（情景再現物）の付着工程を示す斜視図、図１１は、当該組立式情景展示物の組立方法のうち、土台（岩場）に木工用ボンドで川の流れを作る工程を示す斜視図、図１２は、当該組立式情景展示物の組立方法のうち、土台（岩場）の載置工程と背景写真シートの配置固定工程を示す正面図である。
【００４２】
まず、図４〜図６に示すようにして、額縁２を組み立てる。
具体的には、まず、図４，図５に示すように、対応する貫通孔１１と有底孔１２（図１を参照）とに亘って額縁２の外側から竹串３を圧入することにより、左右一対の側面板２ａ，２ｂと天面板２ｃと底面板２ｄを、矩形状に連結し、額縁２として組み立てる。この組立作業は、子供や高齢者であっても簡単に行うことができる。竹串３を圧入したら、当該竹串３のうち額縁２の外側に突出している部分を鋏等で切断する。
なお、必要に応じて、貫通孔１１及び有底孔１２と竹串３を、接着剤で接着固定してもよい。これにより、連結部分の強度を高めることができ、額縁２を、より堅牢なものとすることが可能となる。
次いで、図５に示すように、額縁２の底面板２ｄを、接着剤で設置板２ｅの上面に固定し、額縁２を設置板２ｅに設置する。次いで、図６に示すように、規制板２ｆ，２ｇを、額縁２の底面板２ｄの上面の前後縁部に接着剤で左右横長に固定する。なお、規制板２ｇは、スリット状の凹溝１４ａ，１４ｂを避けるべく、若干内側に固定する。次いで、受板２ｈを、額縁２の底面板２ｄの上面の後縁部に接着剤で左右横長に固定する。以上の３つの作業も、子供や高齢者が簡単に行うことができる作業である。
【００４３】
次いで、図７〜図９に示すようにして、岩場等の土台４を作る。
具体的には、まず、図７に示すように、直方体状の発泡スチロール体５を、カッター１５等で岩場等の形に切削加工する。
発泡スチロール体５は、安価で工作が容易な材料である。このため、子供や高齢者であっても、当該発泡スチロール体５を、カッター等で切削加工することにより、故郷の山林の岩場等の形を簡単に再現することができる。
次いで、図８に示すように、岩場等の形に切削加工した発泡スチロール体５に、樹木６ａ，６ｂや石８ａ〜８ｃを差し込む。次いで、図９に示すように、岩場等の形に切削加工した発泡スチロール体５を、絵の具等で岩等の色に着色して、土台（岩場）４を完成させる。以上の２つの作業も、子供や高齢者が簡単に行うことができる作業である。
【００４４】
次いで、図１０〜図１２に示すようにして、装飾仕上げを行う。
具体的には、まず、図１０に示すように、上記のようにして作った土台（岩場）４に、木工用ボンドを塗布して苔７を付着する。次いで、図１１に示すように、土台（岩場）４に木工用ボンドで川の流れを作る。最後に、図１２に示すように、額縁２の底面板２ｄ上の規制板２ｆ，２ｇ間に土台（岩場）４を載置する。また、額縁２の左右一対の側面板２ａ，２ｂの後縁側に形成されたスリット状の凹溝１４ａ，１４ｂ（図１，図４，図６を参照）に、上方から背景写真シート９ａの左右縁部を挿入し、その下端を受板２ｈ（図１，図６を参照）に当接させる。これにより、額縁２の背面側に背景写真シート９ａが配置固定され、図３に示す組立式情景展示物１３が完成する。以上の４つの作業も、子供や高齢者が簡単に行うことができる作業である。
【００４５】
なお、本実施形態においては、フレーム構成部材（左右一対の側面板）２ａ，２ｂの各上下端部に、それぞれ、貫通孔１１が穿設され、フレーム構成部材（天面板、底面板）２ｃ，２ｄの各左右端面に、それぞれ、有底孔１２が穿設されている場合を例に挙げて説明した。しかし、本考案は必ずしもこのような構成に限定されるものではない。フレーム構成部材（天面板、底面板）の各左右端部に、それぞれ、貫通孔が穿設され、フレーム構成部材（左右一対の側面板）の各上下端面に、それぞれ、有底孔が穿設された構成であってもよい。
【００４６】
また、本実施形態においては、軸棒として竹串３を用いる場合を例に挙げて説明した。しかし、本考案は必ずしもこのような構成に限定されるものではない。軸棒としては、例えば、木製、金属製又はプラスチック製のダボ等を用いてもよい。
【００４７】
また、本実施形態においては、額縁２の左右一対の側面板２ａ，２ｂの後縁側に形成されたスリット状の凹溝１４ａ，１４ｂに、上方から背景写真シート９ａの左右縁部を挿入し、その下端を受板２ｈに当接させて、額縁２の背面側に背景写真シート９ａを配置固定する場合を例に挙げて説明した。しかし、本考案は必ずしもこのような構成に限定されるものではない。背景写真シートは、例えば、額縁の背面に接着剤で貼り付けるようにしてもよい。
【００４８】
また、本実施形態においては、土台４の前後方向への移動を規制する規制板２ｆ，２ｇを備える場合を例に挙げて説明した。しかし、本考案は必ずしもこのような構成に限定されるものではない。規制板を備えるようにするか否かは任意である。
【００４９】
また、本実施形態においては、情景展示物用組立キット１が、左右一対の側面板２ａ，２ｂ、天面板２ｃ、底面板２ｄ、竹串（軸棒）３、土台を形成するための直方体状の発泡スチロール体５、情景再現物（２本の樹木６ａ，６ｂ、一袋の苔７、３個の石８ａ〜８ｃ）、及び、背景写真シート９ａ，９ｂ、１本の接着剤チューブ１０を含む場合を例に挙げて説明した。しかし、本考案は必ずしもこのような構成に限定されるものではない。接着剤チューブ１０を含ませるか否かは任意である。また、接着剤チューブ１０の代わりに、例えば、木工用ボンドを含ませるようにしてもよい。
【００５０】
また、本実施形態においては、情景展示物用組立キット１が規制板２ｆ，２ｇを含む場合を例に挙げて説明した。しかし、本考案は必ずしもこのような構成に限定されるものではない。情景展示物用組立キットに規制板を含ませるか否かは任意である。
【符号の説明】
【００５１】
１  情景展示物用組立キット
２  フレーム（額縁）
２ａ，２ｂ  フレーム（額縁）構成部材（左右一対の側面板）
２ｃ  フレーム（額縁）構成部材（天面板）
２ｄ  フレーム（額縁）構成部材（底面板）
２ｅ  フレーム（額縁）構成部材（設置板）
２ｆ，２ｇ  フレーム（額縁）構成部材（規制板）
３  竹串（軸棒）
４  岩場等の土台
５  発泡スチロール体
６ａ，６ｂ  樹木
７  苔
８ａ〜８ｃ  石
９ａ，９ｂ  背景写真シート
１０  接着剤チューブ
１１  貫通孔
１２  有底孔
１３  組立式情景展示物
１４  背景写真シート挿通孔
１５  カッター
【図１】
0003232643.tif 000003
【図２】
0003232643.tif 000004
【図３】
0003232643.tif 000005
【図４】
0003232643.tif 000006
【図５】
0003232643.tif 000007
【図６】
0003232643.tif 000008
【図７】
0003232643.tif 000009
【図８】
0003232643.tif 000010
【図９】
0003232643.tif 000011
【図１０】
0003232643.tif 000012
【図１１】
0003232643.tif 000013
【図１２】
0003232643.tif 000014